(57)【特許請求の範囲】
【請求項１】
液晶表示パネルへの入力値と予め測定した輝度値の特性である実測特性を液晶表示装置に記憶させておき、ユーザが希望する液晶表示装置への入力値と輝度値の特性であるユーザ希望特性を実現するように液晶表示装置への入力値を液晶表示パネルへの入力値に変換する変換テーブルを作成し、この変換テーブルを介して液晶表示装置への入力を液晶表示パネルへ加える液晶表示装置の調整方法において、前記実測特性を測定したときのバックライトの輝度を測定して液晶表示装置に記憶しておき、その後、バックライトの輝度を測定し、記憶しているバックライトの輝度と測定したバックライトの輝度との差に基づいて前記変換テーブルの内容を補正することを特徴とする液晶表示装置の調整方法。
【請求項２】
液晶表示パネルと、液晶表示装置への入力値を液晶表示パネルへの入力値に変換する変換テーブルと、変換テーブルを作成した時のバックライトの輝度を記憶するバックライト基準色記憶手段と、バックライトの輝度を測定するバックライト輝度測定手段と、記憶しているバックライトの輝度と測定したバックライトの輝度との差に基づいて変換テーブルの内容を補正する補正手段とを具備したことを特徴とする液晶表示装置。
【発明の詳細な説明】
【０００１】
【発明の属する技術分野】
本発明は、デジタル画像表示装置の調整方法、デジタル画像表示装置、液晶表示装置の調整方法および液晶表示装置に関する。さらに詳しくは、本発明は、表示装置の画面の輝度を測定するセンサを使用することなく、ユーザの希望する特性に調整することが可能なデジタル画像表示装置の調整方法、デジタル画像表示装置、液晶表示装置の調整方法および液晶表示装置に関する。
【０００２】
【従来の技術】
図７は、従来のカラー液晶表示装置５００の構成およびユーザ調整のための接続を示す説明図である。
液晶表示装置５００は、表示画像のデジタル信号を出力可能な上位装置（パソコン等）ＰＣから表示画像のデジタル信号を受け取るデジタル信号レシーバ１と、表示画像のアナログ信号を出力可能な上位装置ＰＣから表示画像のアナログ信号を受け取ってデジタル信号に変換するＡ／Ｄコンバータ２と、デジタル信号レシーバ１を介してのデジタル信号またはＡ／Ｄコンバータ２を介してのデジタル信号のいずれかを選択する入力選択スイッチ３と、入力されたデジタル信号の解像度を固定されたカラー液晶表示パネル１０の解像度に合わせるように解像度を変換する解像度変換部４と、画像のデジタル信号にＯＳＤ（On Screen Display）信号を混合するＯＳＤ信号合成部６と、デジタル信号の入力値に対するカラー液晶表示パネル１０の輝度がユーザの希望する特性すなわちユーザ希望特性になるようにデジタル信号の入力値を変換するための変換テーブル７と、カラー液晶表示パネル１０へのデジタル信号の入力値の階調数よりも表示輝度の実効階調数を拡大するための階調拡大処理（ディザ処理等）を行う階調拡大部８と、カラー液晶表示パネル１０と、バックライト１１と、バックライト１１を駆動するバックライト駆動部５３と、カラー液晶表示装置５００の動作を制御するマイクロプロセッサ１４と、上位装置ＰＣと制御のための通信を行うシリアルインタフェース１５とを具備している。
【０００３】
なお、カラー液晶表示パネル１０へのデジタル信号の入力値の階調数は例えば８bitであり、上位装置ＰＣからの画像の入力値の階調数も例えば８bitであるが、ユーザ希望特性をより忠実に実現するために変換テーブル７で出力値の階調数を例えば１０bitに拡大し、これを階調拡大部８で実効階調数が例えば１０bitとなるような８bitのデータに時間的拡散方式や空間的拡散方式を用いて変換し、カラー液晶表示パネル１０に入力している。
【０００４】
ユーザがカラー液晶表示装置５００を調整する時は、カラー液晶表示パネル１０の前面にカラー輝度センサＣｓを取り付ける。そして、カラー液晶表示装置５００およびカラー輝度センサＣｓを上位装置ＰＣに接続する。そして、上位装置ＰＣとカラー液晶表示装置５００とで協働してカラー液晶表示装置５００の調整処理を実行する。
【０００５】
図８は、カラー液晶表示装置５００の調整処理を示すフロー図である。なお、この処理をＲ，Ｇ，Ｂの各色について行う。
ステップＳ１では、ユーザは、希望するガンマ特性値とホワイトバランスとを上位装置ＰＣに入力する。
ステップＳ２では、上位装置ＰＣは、ユーザから与えられたガンマ特性値およびホワイトバランスに基づいてユーザ希望特性を算出する。
【０００６】
ステップＳ３では、上位装置ＰＣは、ユーザ希望特性で最大輝度値を与える入力値たとえば“２５５”を表示画像のデジタル信号としてカラー液晶表示装置５００に入力する。
ステップＳ４では、カラー液晶表示装置５００のマイクロプロセッサ１４は、入力値たとえば“２５５”を、カラー液晶表示パネル１０が最大輝度となる出力値たとえば“１０２３”に変換するように、変換テーブル７を書き換える。
ステップＳ５では、上位装置ＰＣは、カラー輝度センサＣｓでカラー液晶表示パネル１０の輝度を測定し、これをカラー液晶表示装置５００のマイクロプロセッサ１４に通知する。マイクロプロセッサ１４は、カラー液晶表示パネル１０の輝度の測定値がユーザ希望特性の最大輝度値となるように、バックライト１１の輝度を調整する。
【０００７】
ステップＳ６では、上位装置ＰＣは、ユーザ希望特性で最小輝度値を与える入力値たとえば“０”を表示画像のデジタル信号としてカラー液晶表示装置５００に順に入力する。
ステップＳ７では、上位装置ＰＣは、カラー輝度センサＣｓでカラー液晶表示パネル１０の輝度を測定し、これをカラー液晶表示装置５００のマイクロプロセッサ１４に通知する。マイクロプロセッサ１４は、入力値たとえば“０”をカラー液晶表示パネル１０の輝度の測定値がユーザ希望特性の最小輝度値となるような出力値たとえば“５０”に変換するように変換テーブル７を書き換える。
上記ステップＳ６，Ｓ７を、ユーザ希望特性で中間輝度値を与える入力値たとえば“１”〜“２５４”について繰り返し、変換テーブル７を完成させる。
【０００８】
上記調整処理により、デジタル信号の入力値に対するカラー液晶表示パネル１０の輝度の特性がユーザ希望特性となる。すなわち、カラー液晶表示装置５００を、ユーザの希望するガンマ特性値とホワイトバランスに調整できる。
【０００９】
【発明が解決しようとする課題】
上記従来のカラー液晶表示装置５００およびその調整方法では、調整自体は自動的に進めることが可能であるものの、調整の前には、カラー液晶表示パネル１０の前面にカラー輝度センサＣｓを取り付け、そのカラー輝度センサＣｓを上位装置ＰＣに接続する作業が必要であり、調整の後には、カラー液晶表示パネル１０の前面からカラー輝度センサＣｓを取り外し、そのカラー輝度センサＣｓを上位装置ＰＣから切り離す作業が必要となる。また、カラー輝度センサＣｓをユーザが保管しておく必要もある。
しかし、上記のような作業をユーザが行ったり、カラー輝度センサＣｓをユーザが保管しておくことは、ユーザに負担がかかる問題点がある。
そこで、本発明の目的は、表示装置の画面の輝度を測定するセンサを使用することなく、ユーザの希望する特性に調整することが可能なデジタル画像表示装置の調整方法、デジタル画像表示装置、液晶表示装置の調整方法および液晶表示装置を提供することにある。
【００１０】
【課題を解決するための手段】
第１の観点では、本発明は、デジタル画像表示デバイスへの入力値と予め測定した輝度値の特性である実測特性をデジタル画像表示装置に記憶させておき、ユーザが希望するデジタル画像表示装置への入力値と輝度値の特性であるユーザ希望特性を実現するようにデジタル画像表示装置への入力値をデジタル画像表示デバイスへの入力値に変換する変換テーブルを作成し、この変換テーブルを介してデジタル画像表示装置への入力をデジタル画像表示デバイスへ加えることを特徴とするデジタル画像表示装置の調整方法を提供する。
上記構成において、デジタル画像表示デバイスとは、デジタル入力により画像を表示するデバイスであり、例えば液晶表示パネルやプラズマディスプレイパネルである。また、デジタル画像表示装置とは、デジタル画像表示デバイスを用いた表示装置をいう。
上記第１の観点によるデジタル画像表示装置の調整方法では、デジタル画像表示デバイスへの入力値と予め測定した輝度値の特性である実測特性をデジタル画像表示装置に記憶させておく。そして、調整したいデジタル画像表示装置が記憶している実測特性を読み出せば、画面の輝度を測定するセンサを用いなくても、ユーザ希望特性を実現するための変換テーブルを作成できる。よって、表示装置の画面に輝度センサを取り付け／取り外しするユーザの作業が不要になり、輝度センサをユーザが保管しておくことも不要になる。
【００１１】
第２の観点では、本発明は、上記構成のデジタル画像表示装置の調整方法において、デジタル画像表示装置とコンピュータとを接続し、デジタル画像表示装置からコンピュータへ実測特性を出力し、前記実測特性と与えられたユーザ希望特性とを基にコンピュータで変換テーブル用データを算出してデジタル画像表示装置に入力し、前記変換テーブル用データを基にデジタル画像表示装置で前記変換テーブルを作成することを特徴とするデジタル画像表示装置の調整方法を提供する。
上記第２の観点によるデジタル画像表示装置の調整方法では、ユーザ希望特性を実現するための変換テーブルを実質的に作成する機能を外部のコンピュータに分担させることが出来るから、この機能を内蔵する場合に較べて、デジタル画像表示装置の構成を簡単化できる。
【００１２】
第３の観点では、本発明は、デジタル画像表示デバイスと、デジタル画像表示装置への入力値をデジタル画像表示デバイスへの入力値に変換する変換テーブルと、前記デジタル画像表示デバイスへの入力値と予め測定した輝度値の特性である実測特性を記憶する実測特性記憶手段と、前記実測特性を外部へ出力すると共に外部から入力される変換テーブル用データを受け取るインタフェース手段と、前記変換テーブル用データを基に前記変換テーブルを作成する変換テーブル作成手段とを具備したことを特徴とするデジタル画像表示装置を提供する。
上記第３の観点によるデジタル画像表示装置では、上記第２の観点によるデジタル画像表示装置の調整方法を好適に実施できる。
【００１３】
第４の観点では、本発明は、液晶表示パネルへの入力値と予め測定した輝度値の特性である実測特性を液晶表示装置に記憶させておき、ユーザが希望する液晶表示装置への入力値と輝度値の特性であるユーザ希望特性を実現するように液晶表示装置への入力値を液晶表示パネルへの入力値に変換する変換テーブルを作成し、この変換テーブルを介して液晶表示装置への入力を液晶表示パネルへ加えることを特徴とする液晶表示装置の調整方法を提供する。
上記第４の観点による液晶表示装置の調整方法では、液晶表示パネルへの入力値と予め測定した輝度値の特性である実測特性を液晶表示装置に記憶させておく。そして、調整したい液晶表示装置が記憶している実測特性を読み出せば、画面の輝度を測定するセンサを用いなくても、ユーザ希望特性を実現するための変換テーブルを作成できる。よって、表示装置の画面に輝度センサを取り付け／取り外しするユーザの作業が不要になり、輝度センサをユーザが保管しておくことも不要になる。
なお、カラー液晶表示装置の場合について詳細に表現すると、カラー液晶表示パネルへのＲ，Ｇ，Ｂの各入力値と予め測定したＲ，Ｇ，Ｂの各輝度値の特性である実測特性をカラー液晶表示装置に記憶させておき、ユーザが希望するカラー液晶表示装置へのＲ，Ｇ，Ｂの各入力値とＲ，Ｇ，Ｂの各輝度値の特性であるユーザ希望特性を実現するようにカラー液晶表示装置へのＲ，Ｇ，Ｂの各入力値をカラー液晶表示パネルへのＲ，Ｇ，Ｂの各入力値に変換する変換テーブルを作成し、この変換テーブルを介してカラー液晶表示装置へのＲ，Ｇ，Ｂの各入力をカラー液晶表示パネルへ加える。
【００１４】
第５の観点では、本発明は、上記構成の液晶表示装置の調整方法において、実測特性を測定したときのバックライトの輝度を測定して液晶表示装置に記憶しておき、その後、バックライトの輝度を測定し、記憶している輝度との差に基づいて変換テーブルの内容を補正することを特徴とする液晶表示装置の調整方法を提供する。
上記第５の観点による液晶表示装置の調整方法では、バックライトの輝度変動に応じて変換テーブルの内容を補正するので、バックライトの経時変化があってもユーザ希望特性を実現できる。
なお、カラー液晶表示装置の場合について詳細に表現すると、実測特性を測定したときのバックライトのＲ，Ｇ，Ｂの各輝度を測定してカラー液晶表示装置に記憶しておき、その後、バックライトのＲ，Ｇ，Ｂの各輝度を測定し、記憶している輝度との差に基づいて変換テーブルの内容を補正する。この場合、バックライトの色変動に応じて変換テーブルの内容を補正するので、バックライトの経時色変化があってもユーザ希望特性を実現できる。
【００１５】
第６の観点では、本発明は、上記構成の液晶表示装置の調整方法において、液晶表示装置とコンピュータとを接続し、液晶表示装置からコンピュータへ実測特性を出力し、前記実測特性と与えられたユーザ希望特性とを基にコンピュータで変換テーブル用データを算出して液晶表示装置に入力し、前記変換テーブル用データを基に液晶表示装置で前記変換テーブルを作成することを特徴とする液晶表示装置の調整方法を提供する。
上記第６の観点による液晶表示装置の調整方法では、ユーザ希望特性を実現するための変換テーブルを実質的に作成する機能を外部のコンピュータに分担させることが出来るから、この機能を内蔵する場合に較べて、液晶表示装置の構成を簡単化できる。
【００１６】
第７の観点では、本発明は、上記構成の液晶表示装置の調整方法において、前記コンピュータは、ユーザからガンマ特性値およびホワイトバランスを与えられ、これに基づいて前記ユーザ希望特性を求めることを特徴とする液晶表示装置の調整方法を提供する。
上記第７の観点による液晶表示装置の調整方法では、ユーザ希望特性を実現するための変換テーブルを実質的に作成する機能を外部のコンピュータに分担させることが出来るから、この機能を内蔵する場合に較べて、液晶表示装置の構成を簡単化できる。
【００１７】
第８の観点では、本発明は、液晶表示パネルと、液晶表示装置への入力値を液晶表示パネルへの入力値に変換する変換テーブルと、前記液晶表示パネルへの入力値と予め測定した輝度値の特性である実測特性を記憶する実測特性記憶手段と、前記実測特性を外部へ出力すると共に外部から入力される変換テーブル用データを受け取るインタフェース手段と、前記変換テーブル用データを基に前記変換テーブルを作成する変換テーブル作成手段とを具備したことを特徴とする液晶表示装置を提供する。
上記第８の観点による液晶表示装置では、前記第６の観点による液晶表示装置の調整方法を好適に実施できる。
なお、カラー液晶表示装置の場合について詳細に表現すると、カラー液晶表示パネルと、カラー液晶表示装置へのＲ，Ｇ，Ｂの各入力値をカラー液晶表示パネルへのＲ，Ｇ，Ｂの各入力値に変換する変換テーブルと、前記カラー液晶表示パネルへのＲ，Ｇ，Ｂの各入力値と予め測定したＲ，Ｇ，Ｂの各輝度値の特性である実測特性を記憶する実測特性記憶手段と、前記実測特性を外部へ出力すると共に外部から入力される変換テーブル用データを受け取るインタフェース手段と、前記変換テーブル用データを基に前記変換テーブルを作成する変換テーブル作成手段とを具備したカラー液晶表示装置となる。
【００１８】
第９の観点では、本発明は、液晶表示パネルと、液晶表示装置への入力値を液晶表示パネルへの入力値に変換する変換テーブルと、変換テーブルを作成した時のバックライトの輝度を記憶するバックライト基準色記憶手段と、バックライトの輝度を測定するバックライト輝度測定手段と、記憶しているバックライトの輝度と測定したバックライトの輝度との差に基づいて変換テーブルの内容を補正する補正手段とを具備したことを特徴とする液晶表示装置を提供する。
上記第９の観点による液晶表示装置では、バックライトの輝度変動に応じて変換テーブルの内容を補正するので、バックライトの経時変化があってもユーザ希望特性を実現できる。
なお、カラー液晶表示装置の場合について詳細に表現すると、カラー液晶表示パネルと、カラー液晶表示装置へのＲ，Ｇ，Ｂの各入力値をカラー液晶表示パネルへのＲ，Ｇ，Ｂの各入力値に変換する変換テーブルと、変換テーブルを作成した時のバックライトのＲ，Ｇ，Ｂの各輝度を記憶するバックライト基準色記憶手段と、バックライトのＲ，Ｇ，Ｂの各輝度を測定するバックライト輝度測定手段と、記憶しているバックライトの輝度と測定したバックライトの輝度との差に基づいて変換テーブルの内容を補正する補正手段とを具備したカラー液晶表示装置となる。この場合、バックライトの色変動に応じて変換テーブルの内容を補正するので、バックライトの経時色変化があってもユーザ希望特性を実現できる。
【００１９】
【発明の実施の形態】
以下、図を参照して本発明の実施の形態を説明する。なお、これにより本発明が限定されるものではない。
【００２０】
図１は、本発明の一実施形態にかかるカラー液晶表示装置１００の構成およびユーザ調整のための接続を示す説明図である。
液晶表示装置１００は、表示画像のデジタル信号を出力可能な上位装置ＰＣから表示画像のデジタル信号を受け取るデジタル信号レシーバ１と、表示画像のアナログ信号を出力可能な上位装置ＰＣから表示画像のアナログ信号を受け取ってデジタル信号に変換するＡ／Ｄコンバータ２と、デジタル信号レシーバ１を介してのデジタル信号またはＡ／Ｄコンバータ２を介してのデジタル信号のいずれかを選択する入力選択スイッチ３と、入力されたデジタル信号の解像度を固定されたカラー液晶表示パネル１０の解像度に合わせるように解像度を変換する解像度変換部４と、画像のデジタル信号にＯＳＤ信号を混合するＯＳＤ信号合成部６と、デジタル信号の入力値に対するカラー液晶表示パネル１０の輝度がユーザの希望する特性すなわちユーザ希望特性になるようにデジタル信号の入力値を変換するための変換テーブル７と、カラー液晶表示パネル１０へのデジタル信号の入力値の階調数よりも表示輝度の実効階調数を拡大するための階調拡大処理を行う階調拡大部８と、カラー液晶表示パネル１０と、バックライト１１と、バックライト１１の輝度を測定するバックライト輝度センサ１２と、バックライト１１を駆動するバックライト駆動部１３と、カラー液晶表示装置５００の動作を制御するマイクロプロセッサ１４と、上位装置ＰＣと制御のための通信を行うシリアルインタフェース１５と、カラー液晶表示パネル１０へのＲ，Ｇ，Ｂの各入力値と予め測定したＲ，Ｇ，Ｂの各輝度値の特性である実測特性を記憶する実測特性記憶部１６とを具備している。
【００２１】
なお、カラー液晶表示パネル１０へのデジタル信号の入力値の階調数は例えば８bitであり、上位装置ＰＣからの画像の入力値の階調数も例えば８bitであるが、ユーザ希望特性をより忠実に実現するために変換テーブル７で出力値の階調数を例えば１０bitに拡大し、これを階調拡大部８で実効階調数が例えば１０bitとなるような８bitのデータに時間的拡散方式や空間的拡散方式を用いて変換し、カラー液晶表示パネル１０に入力している。
【００２２】
ユーザがカラー液晶表示装置１００を調整する時は、カラー液晶表示装置１００を上位装置ＰＣに接続する。そして、上位装置ＰＣとカラー液晶表示装置１００とで協働してカラー液晶表示装置１００の調整処理を実行する。
【００２３】
図２は、実測特性記憶部１６に記憶している実測特性の概念図である。
実測特性は、階調拡大部８を介してカラー液晶表示パネル１０へ入力するＲ，Ｇ，Ｂの各入力値Ｖと、それに対する測定結果であるＲ，Ｇ，Ｂの各輝度値Ｋｖと、その測定時のバックライトのＲ，Ｇ，Ｂの各輝度値ＢＬ_R，ＢＬ_G，ＢＬ_Bである。
【００２４】
図３は、カラー液晶表示装置１００の調整処理を示すフロー図である。なお、この処理をＲ，Ｇ，Ｂの各色について行う。
ステップＰ１では、ユーザは、希望するガンマ特性値とホワイトバランスとを上位装置ＰＣに入力する。
【００２５】
ステップＰ２では、上位装置ＰＣは、ユーザから与えられたガンマ特性値およびホワイトバランスに基づいてユーザ希望特性を算出する。
図４は、ユーザ希望特性の概念図である。
ユーザ希望特性は、カラー液晶表示装置１００へ入力するＲ，Ｇ，Ｂの各入力値Ｕと、それに対してユーザが希望するＲ，Ｇ，Ｂの各輝度値Ｋｕである。
【００２６】
図３に戻り、ステップＰ３では、上位装置ＰＣは、カラー液晶表示装置１００から実測特性を読み出す。
【００２７】
ステップＰ４では、上位装置ＰＣは、ユーザ希望特性の入力値Ｕと輝度値Ｋｕの対を取り出し、その輝度値Ｋｕに対応する実測特性の入力値Ｖを求め、入力値Ｕを出力値Ｖに変換する変換テーブル用データを得る。
例えば、図４の入力値Ｕ＝１００と輝度値Ｋｕ＝７２の対を取り出し、その輝度値Ｋｕ＝７２に対応する図２の実測特性の入力値Ｖ＝１０１を求め、入力値Ｕ＝１００を出力値Ｖ＝１０１に変換する変換テーブル用データを得る。なお、この例では、輝度値Ｋｕ＝７２と同じ輝度値Ｋｖ＝７２が図２の実測特性にあったため、入力値Ｖ＝１０１がただちに求まるが、輝度値Ｋｕと同じ輝度値Ｋｖが図２の実測特性にない場合は、補間演算により入力値Ｖを算出する。
【００２８】
ステップＰ５では、上位装置ＰＣは、変換テーブル用データをカラー液晶表示装置１００に渡す。カラー液晶表示装置１００は、変換テーブル用データを基に変換テーブル７を作成する。
図５は、変換テーブル７の概念図である。
【００２９】
上記調整処理により、デジタル信号の入力値に対するカラー液晶表示パネル１０の輝度の特性がユーザ希望特性となる。すなわち、カラー液晶表示パネル１０の画面の輝度を測定するセンサ（図７のＣｓ）を使用することなく、カラー液晶表示装置１００をユーザの希望するガンマ特性値とホワイトバランスに調整できる。
【００３０】
図６は、カラー液晶表示装置１００が定期的に又は任意時に実行する補正処理を示すフロー図である。
ステップＨ１では、マイクロプロセッサ１４は、実測特性記憶部１６からバックライト１１のＲ，Ｇ，Ｂの各輝度値ＢＬ_R，ＢＬ_G，ＢＬ_Bを読み出す。
ステップＨ２では、マイクロプロセッサ１４は、読み出した各輝度値ＢＬ_R，ＢＬ_G，ＢＬ_Bに近付けるように、バックライト駆動部１３を介して、バックライト１１を調整する。
ステップＨ３では、マイクロプロセッサ１４は、バックライト輝度センサ１２でバックライト１１の色を測定する。
【００３１】
ステップＨ４では、マイクロプロセッサ１４は、読み出した各輝度値ＢＬ_R，ＢＬ_G，ＢＬ_Bと実測した色とを比較し、差が許容範囲なら処理を終了する（現在の変換テーブルの内容が維持される）。差が許容範囲より大きければ、ステップＨ５へ進む。
【００３２】
ステップＨ５では、差を打ち消すように変換テーブル７の内容を補正する。例えば、読み出した各輝度値ＢＬ_R，ＢＬ_G，ＢＬ_Bより実測した色が赤っぽいなら、Ｒの輝度をＧ，Ｂに対して下げるように変換テーブル７の内容を補正する。そして、処理を終了する。
【００３３】
上記補正処理により、バックライト１１の経時色変化があっても、ユーザ希望特性を実現できる。
【００３４】
なお、表示画像がアナログ信号の場合は、上位装置ＰＣのアナログ出力回路に特性のバラツキがあるため、アナログ信号にもバラツキがある。そこで、このアナログ信号のバラツキを吸収するためにＡ／Ｄコンバータ２を調整するが、これで不十分な場合は、マイクロプロセッサ１４は、変換テーブル７の内容を補正して、アナログ信号のバラツキを吸収する。
【００３５】
他の実施形態を次に示す。
（１）上位装置ＰＣを介してユーザ希望特性をカラー液晶表示装置１００に入力し、マイクロプロセッサ１４で変換テーブル用データを算出してもよい。
（２）ユーザ希望特性をカラー液晶表示装置１００に直接入力し、マイクロプロセッサ１４で変換テーブル用データを算出してもよい。この場合、上位装置ＰＣは不要となる。
（３）バックライト１１の色をカラー液晶表示装置１００から上位装置ＰＣに送り、上位装置ＰＣで変換テーブル用データを補正してもよい。
（４）モノクロ液晶表示装置に対しても、本発明を上記と同様に適用できる。
（５）液晶表示装置以外のデジタル画像表示装置（プラズマディスプレイ装置等）に対しても、本発明を上記と同様に適用できる。
【００３６】
【発明の効果】
本発明のデジタル画像表示装置の調整方法、デジタル画像表示装置、カラー液晶表示装置の調整方法およびカラー液晶表示装置によれば、表示装置の画面の輝度を測定するセンサを使用することなく、デジタル画像表示装置またはカラー液晶表示装置をユーザの希望する特性に調整することが出来る。
【図面の簡単な説明】
【図１】本発明の一実施形態にかかるカラー液晶表示装置の構成を示すブロック図である。
【図２】本発明の一実施形態にかかる実測特性を示す概念図である。
【図３】本発明の一実施形態にかかる調整処理を示すフロー図である。
【図４】ユーザ希望特性を示す概念図である。
【図５】変換テーブルを示す概念図である。
【図６】本発明の一実施形態にかかる補正処理を示すフロー図である。
【図７】従来のカラー液晶表示装置の構成を示すブロック図である。
【図８】従来の調整処理を示すフロー図である。
【符号の説明】
７          変換テーブル
１０        カラー液晶表示パネル
１１        バックライト
１２        バックライト輝度センサ
１３        バックライト駆動部
１４        マイクロプロセッサ
１５        シリアルインタフェース
１６        実測特性記憶部
１００      カラー液晶表示装置
ＰＣ        上位装置
【図１】
0003960763.tif 000002
【図２】
0003960763.tif 000003
【図３】
0003960763.tif 000004
【図４】
0003960763.tif 000005
【図５】
0003960763.tif 000006
【図６】
0003960763.tif 000007
【図７】
0003960763.tif 000008
【図８】
0003960763.tif 000009